(57)【特許請求の範囲】
【請求項１】
中央形成用ピンと、形成用ピンが中に位置付けられる外側ピンスリーブとを備える雄のモールド組立体と、
頂部壁部分と、環状スカート部分とを有するプラスチッククロージャーを形成するモールドキャビテイを規定するために前記雄のモールド組立体と協力する雌のモールドと、
前記中央形成用ピンと前記外側ピンスリーブの間に軸方向に延びる複数の空気通路と、
前記形成用ピンとピンスリーブの間に延び、前記複数の空気通路を流体的に連通するよう接続する少なくとも１つの円周状チャンネルと、
を具備しており、
前記雄のモールド組立体と前記雌のモールドとは、前記中央形成用ピンの自由端部からのモールド済みプラスチッククロージャーの除去用に前記モールドキャビテイを開くよう相対的に移動可能であり、
前記雄のモールド組立体は前記中央形成用ピンと外側ピンスリーブとの間で軸方向に延びる少なくとも１つの空気通路を規定しており、前記空気通路は、前記クロージャーの前記中央形成用ピンからの除去を促進するために、前記雌のモールドからの除去後、加圧空気が該モールド済みプラスチッククロージャー内に導かれることを可能にするよう前記モールドキャビテイと流体的に連通していることを特徴とするプラスチッククロージャーをモールドする装置。
【請求項２】
前記雄のモールド組立体が前記外側ピンスリーブの周りに位置付けられた突き出しスリーブを備えており、前記形成用ピンと前記突き出しスリーブとは、前記突き出しスリーブの前記モールド済みプラスチッククロージャーのスカート部分との契合体が前記形成用ピンから離れるよう前記プラスチッククロージャーを動かすように相対的に移動可能であり、
前記突き出しスリーブは、加圧空気が前記空気通路から前記クロージャー内に導かれる間前記クロージャーとシール式に契合することを特徴とする請求項１記載のプラスチッククロージャーをモールドする装置。
【請求項３】
前記形成用ピンの外部部分が前記スカート部分の内側表面上の少なくとも１つの保持要素を有する前記プラスチッククロージャーを形成するよう構成されており、前記空気通路が前記保持要素と、前記突き出しスリーブとシール式に契合する前記クロージャーの表面と、の間の領域で前記モールドキャビテイと連通することを特徴とする請求項２記載のプラスチッククロージャーをモールドする装置。
【請求項４】
前記突き出しスリーブが前記モールド済みプラスチッククロージャーの該スカート部分の自由エッジと契合することを特徴とする請求項３記載のプラスチッククロージャーをモールドする装置。
【請求項５】
前記中央形成用ピンと前記外側ピンスリーブとは相対的に移動可能であり、それら間の、前記プラスチッククロージャーの前記スカート部分の自由エッジに隣接する所で、環状形成面を規定しており、
前記プラスチッククロージャーの前記スカート部分は前記環状形成面に対して形成された少なくとも１つのタンパー表示要素を有することを特徴とする請求項１記載のプラスチッククロージャーをモールドする装置。
【請求項６】
前記中央形成用ピンと前記外側ピンスリーブとは相対的に移動可能であり、前記モールド済みプラスチッククロージャー内への加圧空気の流れを制御するために協力する環状面を規定することを特徴とする請求項１記載のプラスチッククロージャーをモールドする装置。
【請求項７】
中央形成用ピンと、前記形成用ピンが中に位置付けられる外側ピンスリーブと、そして、それら間に軸方向に延びる少なくとも１つの空気通路と、を有する前記雄のモールド組立体を提供する過程と、
頂部壁部分と、環状スカート部分と、そして前記環状スカート部分の内側表面上の少なくとも１つの保持要素と、を有する前記プラスチッククロージャーを形成するモールドキャビテイを規定するために、雄のモールド組立体と、該雄のモールド組立体と協力する雌のモールドと、を提供する過程と、
前記モールドキャビテイ内で前記プラスチッククロージャーをモールドする過程と、そして
前記雄のモールド組立体からの前記クロージャーの除去を促進するために空気圧力の消失に対し該プラスチッククロージャーの該スカート部分の自由エッジをシールしながら、前記保持要素と該スカート部分の自由エッジの間の領域で前記モールド済みプラスチッククロージャー内へ前記雄のモールド組立体を通して加圧空気を導く過程と、を具備しており、
前記導く過程が前記空気通路を通して加圧空気を導く過程を備えることを特徴とするプラスチッククロージャーをモールドする方法。
【請求項８】
複数の前記空気通路を有する前記雄のモールド組立体を提供する過程を具備することを特徴とする請求項７記載のプラスチッククロージャーをモールドする方法。
【請求項９】
前記導く過程が、前記中央形成用ピンと前記外側ピンスリーブとの相対的軸方向運動により前記モールド済みプラスチッククロージャー内への加圧空気の流れを制御する過程を備えることを特徴とする請求項７記載のプラスチッククロージャーをモールドする方法。
【請求項１０】
プラスチッククロージャーをモールドする装置に於いて、該装置が
中央形成用ピンと、前記形成用ピンが中に位置付けられる外側ピンスリーブと、を備え
る雄のモールド組立体と、そして
頂部壁部分と、そして環状スカート部分と、を有する前記プラスチッククロージャーを形成するモールドキャビテイを規定するために前記雄のモールド組立体と協力する雌のモールドと、を具備しており、
前記雄のモールド組立体と、前記雌のモールドと、は前記中央形成用ピンの自由端部からのモールド済みプラスチッククロージャーの除去用に前記モールドキャビテイを開くために相対的に移動可能であり、
前記雄のモールド組立体は、前記中央形成用ピンからの前記クロージャーの除去を促進するために、前記雌のモールドからの除去後、加圧空気が前記モールド済みプラスチッククロージャー内に導かれることを可能にするよう前記モールドキャビテイと流体的に連通する少なくとも１つの空気通路を規定しており、
前記形成用ピンと前記外側ピンスリーブとは、相対的に移動可能であり、そして前記モールド済みプラスチッククロージャー内への加圧空気の流れを制御するために協力する環状面を規定することを特徴とするプラスチッククロージャーをモールドする装置。
【請求項１１】
前記プラスチッククロージャーの前記スカート部分が、前記中央形成用ピンの前記環状面に対して形成された少なくとも１つのタンパー表示要素を有することを特徴とする請求項１０記載のプラスチッククロージャーをモールドする装置。
【請求項１２】
前記中央形成用ピンと前記外側ピンスリーブとの前記協力する環状面が前記プラスチッククロージャーのモールデイング中、前記モールドキャビテイ内に空気用通気通路を提供することを特徴とする請求項１０記載のプラスチッククロージャーをモールドする装置。
【請求項１３】
前記少なくとも１つの空気通路が前記形成用ピンと前記ピンスリーブとの間に延びることを特徴とする請求項記載１０のプラスチッククロージャーをモールドする装置。
【発明の詳細な説明】
【技術分野】
【０００１】
本発明は一般的にプラスチッククロージャー（ｐｌａｓｔｉｃ  ｃｌｏｓｕｒｅ）を圧縮モールド（ｃｏｍｐｒｅｓｓｉｏｎ  ｍｏｌｄｉｎｇ）するための装置と方法に関し、特に付随モールドツーリング（ａｓｓｏｃｉａｔｅｄ  ｍｏｌｄ  ｔｏｏｌｉｎｇ）からのモールド済みクロージャーのエアアシスト突き出し（ａｉｒ−ａｓｓｉｓｔｅｄ  ｅｊｅｃｔｉｏｎ）を行い、それにより許容出来ないクロージャー変形（ｕｎａｃｃｅｐｔａｂｌｅ  ｃｌｏｓｕｒｅ  ｄｅｆｏｒｍａｔｉｏｎ）を避けながら高速度クロージャー製造（ｈｉｇｈ−ｓｐｅｅｄ  ｃｌｏｓｕｒｅ  ｍａｎｕｆａｃｔｕｒｅ）を促進する装置と方法に関する。
【背景技術】
【０００２】
圧縮モールドされたプラスチッククロージャーは市場で非常に普及した採用を見ており、この様なクロージャーは炭酸飲料（ｃａｒｂｏｎａｔｅｄ  ｂｅｖｅｒａｇｅｓ）での使用のみならず、この様なクロージャーが提供する望ましい強度とシール作用（ｓｔｒｅｎｇｔｈ  ａｎｄ  ｓｅａｌｉｎｇ）とを必要とする他の応用にも特に好適である。加えて、この種のクロージャーはタンパー表示（ｔａｍｐｅｒ−ｉｎｄｉｃａｔｉｏｎ）を提供するよう容易に構成され得て、かくして望ましい製品品質を消費者に保証する。
【０００３】
全てが引用によりここに組み入れられる特許である特許文献１，２，３そして４はプラスチッククロージャー構造を図解しており、それらは圧縮モールデイングにより効率的で、経済的に形成され得て、タンパー表示用に構成され得るクロージャーを含んでいる。全てが引用によりここに組み入れられる特許である特許文献５，６，７，８そして９はプラスチッククロージャーが圧縮モールデイングにより形成され得る方法と装置を開示している。
【０００４】
典型的応用では、圧縮モールドされたクロージャーは、該クロージャーのスカート部分（ｓｋｉｒｔ  ｐｏｒｔｉｏｎ）の内側表面（ｉｎｓｉｄｅ  ｓｕｒｆａｃｅ）上に、典型的に螺旋ねじ形成部（ｈｅｌｉｃａｌ  ｔｈｒｅａｄ  ｆｏｒｍａｔｉｏｎ）の形で、保持要素（ｒｅｔｅｎｓｉｏｎ  ｅｌｅｍｅｎｔ）を有する。時には形成用ピン（ｆｏｒｍｉｎｇ  ｐｉｎ）と呼ばれる、圧縮モールデイングツーリングの雄のモールド（ｍａｌｅ  ｍｏｌｄ）はクロージャーねじ形成部の形成用に好適に構成された外側モールド面（ｏｕｔｅｒ  ｍｏｌｄ  ｓｕｒｆａｃｅ）を有する。この様なクロージャーの高速度製造を促進するため、該形成用ピンからの該クロージャーの”ねじ緩め（ｕｎｔｈｒｅａｄｉｎｇ）”用の何等の相対的回転無しに、該形成用ピンから該モールド済みプラスチッククロジャー（ｍｏｌｄｅｄ  ｐｌａｓｔｉｃ  ｃｌｏｓｕｒｅ）を機械的に”剥がす（ｓｔｒｉｐ）”ことが典型的に慣行であった。該モールド済みクロージャーと該形成ピンとの間の締まりばめ（ｉｎｔｅｒｆｅｒｅｎｃｅ  ｆｉｔ）の機械的剥がしは、該クロージャーの該スカート部分が、該クロージャーねじがそれらが中でモールドされる形成用ピンの溝又は他の形状から外れるよう動かされる（ｕｒｇｅｄ  ｏｕｔ  ｏｆ  ｔｈｅ  ｇｒｏｏｖｅｓ  ｏｒ  ｏｔｈｅｒ  ｆｅａｔｕｒｅｓ  ｏｆ  ｔｈｅ  ｆｏｒｍｉｎｇ  ｐｉｎ）時外方へ変形されることを要する。
【０００５】
この剥がし動作に付き添って起こり得るねじ形成部の変形はプラスチッククロージャーが形成される速度を限定するよう作用するのが一般的であることを経験が示して来た。典型的ロータリー圧縮モールデイング機械（ｒｏｔａｒｙ  ｃｏｍｐｒｅｓｓｉｏｎ  ｍｏｌｄｉｎｇ  ｍａｃｈｉｎｅｓ）はモールドツーリング部品内に水冷却通路（ｗａｔｅｒ  ｃｏｏｌｉｎｇ  ｐａｓｓａｇｅｓ）を有するが、操作速度（ｏｐｅｒａｔｉｏｎａｌ  ｓｐｅｅｄｓ）は、該クロージャーのねじ形成部又は他の部分の許容出来ない変形無しに、各クロージャーのそのそれぞれの形成用ピンからの機械的剥がしを許容するよう、モールド済みねじ形成部が充分に固体化するに要する時間により限定されるのが典型的である。
【０００６】
これまで、ねじ形成されたプラスチッククロージャー（ｔｈｒｅａｄｅｄ  ｐｌａｓｔｉｃ  ｃｌｏｓｕｒｅ）の付随雄モールドツーリングからのこの機械的剥がしを容易化するために努力が払われて来た。付随ツーリングからの除去時モールド済みプラスチッククロージャー内に導かれた圧縮ガスの使用は、クロージャーのインジェクションモールデイング（ｉｎｊｅｃｔｉｏｎ  ｍｏｌｄｉｎｇ）と連携して実施されて来た。又、引用によりここに組み入れられる、特許文献１０、そして引用によりここに組み入れられる特許文献１１により例示される様に、圧縮モールデイング機器内にこの様な空気突き出し装置（ａｉｒ−ｅｊｅｃｔｉｏｎ  ａｒｒａｎｇｅｍｅｎｔｓ）を組み入れるための努力も払われて来た。しかしながら、これらの以前の公知の装置はツーリングの複雑さを増し望ましくなく、そして１構造では、該ツーリング内の冷却剤通路の寸法を一般的に減じさせ勝ちな空気通路形状（ｐｒｏｖｉｓｉｏｎ  ｏｆ  ａｎ  ａｉｒ  ｐａｓｓａｇｅ）を要した。又この様な装置は一般にモールド済みクロージャー内への空気の導入用に提供される通路の寸法を限定され、そして望ましくないツーリングの薄い金属部分に帰着する仕方で構成され、耐久性（ｄｕｒａｂｉｌｉｔｙ）から好ましくない（ｄｅｔｒａｃｔｉｎｇ）。
【０００７】
本発明は、付随する雄のモールドの形成用ピン（ａｓｓｏｃｉａｔｅｄ  ｍａｌｅ  ｍｏｌｄ  ｆｏｒｍｉｎｇ  ｐｉｎ）からのその除去（ｒｅｍｏｖａｌ）時に、典型的にモールド済みクロージャー内への、圧縮ガス、空気の導入により高速度クロージャー製造を促進する、プラスチッククロージャーの圧縮モールデイング用の改良された装置、及び操作の方法に向けられており、該システムは付随ツーリングの完全性（ｉｎｔｅｇｒｉｔｙ）を保持するよう望ましく構成されており、圧縮モールデイング機器の費用効果的な使用（ｃｏｓｔ−ｅｆｆｅｃｔｉｖｅ  ｕｓｅ）を可能にする。
【特許文献１】米国特許第４、３７８、８９３号明細書
【特許文献２】米国特許第４、４０７、４２２号明細書
【特許文献３】米国特許第４、４１８、８２８号明細書
【特許文献４】米国特許第４、９７８、０１７号明細書
【特許文献５】米国特許第４、３４３、７５４号明細書
【特許文献６】米国特許第４、４９７、７６５号明細書
【特許文献７】米国特許第５、５５４、３２７号明細書
【特許文献８】米国特許第５、６７０、１００号明細書
【特許文献９】米国特許第５、８６６、１７７号明細書
【特許文献１０】米国特許第５、７８６、０７９号明細書
【特許文献１１】刊行されたＰＣＴ特許出願国際公開第ＷＯ  ０１／３２３９０号パンフレット
【発明の開示】
【０００８】
本発明は、プラスチッククロージャーが付随する雄のモールドの形成用ピンから機械的に”剥がされる（ｓｔｒｉｐｐｅｄ）”モールデイングサイクルの部分中、モールド済みプラスチッククロージャー内への圧縮ガス（空気）の導入により、高速度クロージャー製造を促進するプラスチッククロージャーをモールドするための装置と、操作方法に向けられている。該装置が典型的に付随コンテナー上に該クロージャーを固定するための螺旋ねじ形成部（ｈｅｌｉｃａｌ  ｔｈｒｅａｄ  ｆｏｒｍａｔｉｏｎ）の形の保持要素（ｒｅｔｅｎｔｉｏｎ  ｅｌｅｍｅｎｔ）を有する、プラスチッククロージャーのモールデイング用に構成された図解実施例では、該装置は該保持要素と該クロージャーの自由エッジ（ｆｒｅｅ  ｅｄｇｅ）の間の領域で該クロージャー内に圧縮空気を導く仕方で構成される。これは、該クロージャーの内部上に、特に該保持要素の領域（ねじ形成部）内に力を望ましく創生することが見出され、該力は該付随する雄の形成用ピンからの該クロージャーの高速度除去を非常に促進する。
【０００９】
注目すべきことに、圧縮モールデイングのツーリング内への空気突き出しシステム（ａｉｒ−ｅｊｅｃｔｉｏｎ  ｓｙｓｔｅｍ）の組入れは、該雄の形成用ピンと付随外側ピンスリーブ（ａｓｓｏｃｉａｔｅｄ  ｏｕｔｅｒ  ｐｉｎ  ｓｌｅｅｖｅ）との間に形成された１つ以上の通路（ｐａｓｓａｇｅｗａｙｓ）内をモールド済みクロージャー内へ該空気を導くことにより容易化される。該モールドツーリングの完全性を保持しながら、そして溶融プラスチック（ｍｏｌｔｅｎ  ｐｌａｓｔｉｃ）が圧縮モールドされた後その固化（ｓｏｌｉｄｉｆｉｃａｔｉｏｎ）を容易化するために、該圧縮モールデイングツーリング内に典型的に提供される冷却剤通路（ｃｏｏｌａｎｔ  ｐａｓｓａｇｅｓ）の寸法及び／又は数の何等顕著な削減を要せずに、望ましい流れ面積（ｆｌｏｗ  ａｒｅａ）を有する通路（Ｐａｓｓａｇｅｓ）が容易に形成され得る。
【００１０】
図解される実施例に依れば、プラスチッククロージャーをモールドする装置は中央形成用ピン（ｃｅｎｔｒａｌ  ｆｏｒｍｉｎｇ  ｐｉｎ）と、該形成用ピンが中に位置付けられる外側ピンスリーブ（ｏｕｔｅｒ  ｐｉｎ  ｓｌｅｅｖｅ）と、を有する雄のモールド組立体（ｍａｌｅ  ｍｏｌｄ  ａｓｓｅｍｂｌｙ）を備える。該装置は更に、頂部壁部分（ｔｏｐ  ｗａｌｌ  ｐｏｒｔｉｏｎ）と、環状スカート部分（ａｎｎｕｌａｒ  ｓｋｉｒｔ  ｐｏｒｔｉｏｎ）と、を有する該プラスチッククロージャーを形成するために、概ねカップ形のモールドキャビテイ（ｃｕｐ−ｓｈａｐｅｄ  ｍｏｌｄ  ｃａｖｉｔｙ）を規定するよう、該雄のモールドと協力（ｃｏｏｐｅｒａｔｅｓ）する雌のモールド（ｆｅｍａｌｅ  ｍｏｌｄ）を備える。該雄のモールド組立体と雌のモールドとは、該中央形成用ピンの自由端からの該モールド済みプラスチッククロージャーの除去用に該モールドキャビテイを開くために相対的に移動可能である。
【００１１】
該図解された実施例では、該雄のモールド組立体は該外側ピンスリーブの周りに位置付けられた突き出しスリーブ（ｅｊｅｃｔｉｏｎ  ｓｌｅｅｖｅ）を有しており、該形成用ピンと突き出しスリーブとは、該突き出しスリーブのモールド済みプラスチッククロージャーのスカート部分との契合体（ｅｎｇａｇｅｍｅｎｔ）が、該形成用ピンから離れるよう該プラスチッククロージャーを動かすように相対的に移動可能である（ｒｅｌａｔｉｖｅｌｙ  ｍｏｖａｂｌｅ）。該プラスチッククロージャーが、該スカート部分の内側表面上で、螺旋ねじ形成部の形での様な、保持要素を有して形成される時、該突き出しスリーブの動作は、該クロージャーねじ形成部を該形成用ピンから外す（ｄｉｓｌｏｄｇｉｎｇ）ことにより該モールド済みプラスチッククロージャーを該中央形成用ピンから”剥がす（ｓｔｒｉｐ）”よう作用する。
【００１２】
該雄のモールド組立体は少なくとも１つの空気通路（ａｉｒ  ｐａｓｓａｇｅｗａｙ）を規定しており、該通路は該中央形成用ピンと該外側ピンスリーブの間を軸方向に延びている。該空気通路は、加圧空気（ｐｒｅｓｓｕｒｉｚｅｄ  ａｉｒ）が、該雌のモールドからの除去後該モールド済みプラスチッククロージャー内に導かれることを可能にし、それにより該中央形成用ピンからの該クロージャーの除去を容易化するために、該モールドキャビテイと流体的に連通（ｉｎ  ｆｌｕｉｄ  ｃｏｍｍｕｎｉｃａｔｉｏｎ）するよう置かれる。注目すべきことは、該装置は、該空気通路が、該モールド済みクロージャーの該保持要素と、該クロージャーの面、典型的には、該突き出しスリーブとシール式に契合する該スカート部分の自由エッジと、の間の領域で、該モールドキャビテイと連通するよう構成される。この配置により、該モールド済みクロージャーは加圧空気が該クロージャー内に導かれた時該突き出しスリーブに対しシールされる。該クロージャーは気球の様な流儀（ｂａｌｌｏｏｎ−ｌｉｋｅ  ｆａｓｈｉｏｎ）で外方へ膨張し、それにより該ねじ形成部が中でモールドされる該形成用ピンの外面からの該クロージャーねじ形成部の取り外し（ｒｅｍｏｖａｌ）を含めて、該中央形成ピンからの該クロージャーの機械的剥がしを促進する。
【００１３】
好ましい実施例に依れば、該中央形成用ピンと外側ピンスリーブとは相対的に移動可能であり、それら間の、該プラスチッククロージャーのスカート部分の自由エッジに隣接する所で、環状形成面（ａｎｎｕｌａｒ  ｆｏｒｍｉｎｇ  ｓｕｒｆａｃｅ）を規定する。典型的形状では、該プラスチッククロージャーのスカート部分は少なくとも１つのタンパー表示要素（ｔａｍｐｅｒ−ｉｎｄｉｃａｔｉｎｇ  ｅｌｅｍｅｎｔ）を有し、該要素は該中央形成用ピンの該環状形成面に対して形成される。注目すべきことに、該外側ピンスリーブと該中央形成用ピンの間のこの同じインターフエースは、該モールド済みプラスチッククロージャー内に導かれる加圧空気を制御し、絞る（ｔｈｒｏｔｔｌｅｓ）弁の様な機構（ｖａｌｖｅ−ｌｉｋｅ  ｍｅｃｈａｎｉｓｍ）を提供するよう作用し、加圧空気はかくして該モールデイングサイクルの突き出し部分中（ｄｕｒｉｎｇ  ｔｈｅ  ｅｊｅｃｔｉｏｎ  ｐｏｒｔｉｏｎ）に該プラスチッククロージャー内に導かれる。
【００１４】
本装置の好ましい特徴は効率的で、高速度の操作を促進する、一方該モールドツーリングの望ましくない劣化（ｄｅｔｅｒｉｏｒａｔｉｏｎ）を防止することである。好ましい形では、複数の空気通路が雄のモールド組立体の該中央形成用ピンと外側ピンスリーブの間を軸方向に延びており、該形成用ピンとピンスリーブの間に延びる１つ以上の円周状チャンネル（ｃｉｒｃｕｍｆｅｒｅｎｔｉａｌ  ｃｈａｎｎｅｌｓ）が提供され、該複数の空気通路を流体連通式に接続する。図解される実施例では、１対の円周状チャンネルが提供され、該複数の軸方向空気通路を接続し、該チャンネルの上方の１つは該空気通路間に空気を分配するよう作用し、該円周状チャンネルの下方の１つは圧縮された空気用のアキュムレーター（ａｃｃｕｍｕｌａｔｏｒ）として望ましく作用する。該好ましい形では、該複数の軸方向空気通路は、該中央形成用ピンと外側ピンスリーブの間で空気圧力により創られる反力（ｒｅａｃｔｉｖｅ  ｆｏｒｃｅｓ）をバランスさせるよう配置されており、かくして、さもなくば、該形成用ピンとピンスリーブの間の圧縮空気の供給により該ツーリング内に創られるインバランスから生じ得る該モールドツーリングの望ましくないバインデイング（ｂｉｎｄｉｎｇ）又は摩耗（ｗｅａｒ）を防止する。
【００１５】
該モールド済みプラスチッククロージャーのスカート部分の外方への変形又は膨らみ（ｂｕｌｇｉｎｇ）により、該形成用ピンから該プラスチッククロージャーを機械的に剥がすに要する力は望ましく減じられる。これはより小さいクロージャー変形に帰着するが、さもなければ、該変形は、特に該タンパー表示形状の領域に於いてのみならず変形されたねじの形に於いても、該クロージャーの膨らみ部分（ｂｕｌｇｅｄ  ｐｏｒｔｉｏｎ）に出現する可能性を有している。
【００１６】
本発明の他の特徴と利点は下記詳細説明、付属する図面、そして付属する請求項から容易に明らかになるであろう。
【実施例１】
【００１７】
本発明では種々の形の実施例の可能性があるが、現在の好ましい実施例が図で示され、以下で説明されており、それは、本開示が本発明の例示として考慮されるべきであり、本発明を図解される特定の実施例に限定するようには意図されてない、との理解に基づいている。
【００１８】
本発明は、付随するツーリングからのクロージャーの突き出し中、モールド済みクロージャー内への加圧空気の導入によりモールド済みプラスチッククロージャー又は類似品の高速度製造を促進する圧縮モールデイング装置と操作方法に向けられている。典型的圧縮モールデイング装置では、回転又はタレット圧縮モールデイング機械（ｒｏｔａｒｙ  ｏｒ  ｔｕｒｒｅｔ  ｃｏｍｐｒｅｓｓｉｏｎ  ｍｏｌｄｉｎｇ  ｍａｃｈｉｎｅ）は、圧縮モールダー（ｃｏｍｐｒｅｓｓｉｏｎ  ｍｏｌｄｅｒ）の回転運動に同伴する操作用に構成された複数のモールドツーリング組立体を有する。各ツーリング組立体は適当な押し出し機（ｅｘｔｒｕｄｅｒ）又は類似デバイスと、付随計量機構（ａｓｓｏｃｉａｔｅｄ  ｍｅｔｅｒｉｎｇ  ｍｅｃｈａｎｉｓｍ）と、に対し動かされ、該計量機構は、該組立体が開いた条件にある時、該モールド組立体の各々内に予め決められた量の溶融プラスチック材料を置く。該装置の連続する回転運動は、典型的にカム駆動（ｃａｍ−ａｃｔｕａｔｉｏｎ）による各モールド組立体の閉じ動作をもたらし、それにより或る量の溶融材料が雄の形成用ピンと雌のモールドキャビテイとの間で圧縮され、かくしてモールド済みプラスチッククロージャーが形成される。該モールドツーリングは、該溶融プラスチックを望まれるカップ状モールド済みプラスチッククロージャーに速く固化（ｓｏｌｉｄｉｆｙ）させるために該圧縮モールダーが回転する時冷却剤が循環する内部冷却剤通路を備えるのが典型的である。
【００１９】
該プラスチッククロージャーがモールドされ、該モールドツーリングからのその除去を可能にするよう充分に固化された後、該モールドツーリングはクロージャー除去を可能にするため開かれる。典型的に、該モールド済みクロージャーが該雄のモールド組立体上の位置に留まる時に、雄のモールド組立体と付随する雌のモールドは相対的に動かされ、それにより該モールド済みクロージャーを露出させる。該プラスチッククロージャーは典型的に、頂部壁部分（ｔｏｐ  ｗａｌｌ  ｐｏｒｔｉｏｎ）、垂下環状スカート部分（ｄｅｐｅｎｄｉｎｇ  ａｎｎｕｌａｒ  ｓｋｉｒｔ  ｐｏｒｔｉｏｎ）、そして少なくとも１つの保持要素（ｒｅｔｅｎｔｉｏｎ  ｅｌｅｍｅｎｔ）、典型的には該クロージャースカートの内側表面上の螺旋ねじ形成部（ｈｅｌｉｃａｌ  ｔｈｒｅａｄ  ｆｏｒｍａｔｉｏｎ）、を有して形成されるが、該ねじ形成部がそれが中で形成される該雄のモールドツーリングの部分内に保持されるので、該クロージャーは、本質的に、締まりばめであるものにより（ｂｙ  ｗｈａｔ  ｉｓ，  ｉｎ  ｅｓｓｅｎｃｅ，  ａｎ  ｉｎｔｅｒｆｅｒｅｎｃｅ  ｆｉｔ）該雄のモールドツーリング上に保持される。
【００２０】
該モールド済みクロージャーを該雄のツーリングから”ねじ緩めする（ｕｎｔｈｒｅａｄｉｎｇ）”ことによりクロージャー除去をもたらすことは既知であるが、高速度製造は該クロージャーを該ツーリングから機械的に剥がすことにより促進される。これは普通、該雄のモールドの該クロージャーを保持する部分を該クロージャースカートの自由エッジと契合する付随する突き出し又は剥がし部スリーブ（ａｓｓｏｃｉａｔｅｄ  ｅｊｅｃｔｉｏｎ  ｏｒ  ｓｔｒｉｐｐｅｒ  ｓｌｅｅｖｅ）に対し相対的に動かすことにより成し遂げられる。かくして該スカート部分上に創られる軸方向力は、該クロージャーねじ形成部が雄のツールのそれが中で形成される領域から外れるよう動く時に、該スカート部分の外方への変形の結果をもたらす。該ねじ形成部は典型的に、その断面積のために、該クロージャーの充分に固化する最後の部分の１つであるので、該モールデイング装置の操作速度は、該クロージャーが該雄のツーリングから機械的に剥がされる時その許容出来ない変形を避けるよう充分にねじ形成部を固化させるに要する時間により限定されるのが典型的である。
【００２１】
本発明は、該モールデイングサイクルの突き出し部分中にモールド済みプラスチッククロージャー内へ加圧空気を導くことにより高速度製造を促進するよう特に構成された雄のモールド組立体を有する圧縮モールデイング装置に向けられている。重要なことに、本発明は、突き出し中クロージャーねじ形成部が曝される（ｓｕｂｊｅｃｔｅｄ）力を低減するよう望ましく作用するので、該モールデイング装置用の操作速度は非常に劇的に増加され得て、かくして効率的製造を非常に促進する。評価される様に、この様な増加した形成速度はクロージャーねじ形成部が曝される低減された応力の直接の結果であり、かくして許容出来ないクロージャー変形無しにより高い操作速度を可能にする。
【００２２】
今図を参照すると、本発明の原理を具体化するプラスチッククロージャーモールドツーリング組立体１０が図解されている。当業者により認識される所であるが、更に進んで説明される様に、モールドツーリング組立体１０は、それにより規定されたモールドキャビテイ内でプラスチック材料の圧縮モールデイングをもたらすよう構成されている。該モールドツーリング組立体は回転又はタレット圧縮モールデイング装置上に設置される多数のツールの１つであるのが典型的であり、該装置の駆動された回転はプラスチッククロージャー製造用の必要な段階（ｓｔａｇｅｓ）を通るよう各ツール組立体を循環させる。当該技術で公知の様に、該モールドツーリング組立体１０はモールド済みプラスチッククロージャーの固化を促進するよう内部冷却剤通路（ｉｎｔｅｒｎａｌ  ｃｏｏｌａｎｔ  ｐａｓｓａｇｅｓ）（示されてない）を有するのが典型的であり、それは該モールドツーリングからの該クロージャーの剥がしを可能にするよう該クロージャー側壁（ｃｌｏｓｕｒｅ  ｓｉｄｅｗａｌｌ）又はスカート部分内に充分なカラム強度（ｃｏｌｕｍｎ  ｓｔｒｅｎｇｔｈ）を創生し、かくして高速度生産を促進するためである。
【００２３】
図解される様に、該モールドツーリング組立体１０は中央形成用ピン１４と、中に該形成用ピンが位置付けられる外側ピンスリーブ１６と、を有する雄のモールド組立体１２を備える。該雄のモールド組立体は更に該外側ピンスリーブ１６の周りに位置付けられた突き出しスリーブ１８を有し、該形成用ピン１４と突き出しスリーブ１８とは相対的に移動可能であるので該突き出しスリーブの該モールド済みプラスチッククロージャーのスカート部分との契合体（ｅｎｇａｇｅｍｅｎｔ）は該プラスチッククロージャーを該形成用ピンから外れるよう動かす。この仕方の突き出しは更に下記で説明される。
【００２４】
該モールドツーリング組立体１０は更に、プラスチッククロージャーを形成するようモールドキャビテイ２２を規定するために該雄のモールド組立体１２と協力する雌のモールドを備える。Ｃと呼称されるプラスチッククロージャーは、該図で線図式に図解され、頂部壁部分Ｗと、環状のスカート部分又は側壁Ｓと、を備える。該環状スカート部分Ｓは付随コンテナー上に該クロージャーを固定するためにその内側表面上に少なくとも１つの保持要素を有する。該保持要素は典型的に、Ｔと呼称される、ねじ形成部（ｔｈｒｅａｄ  ｆｏｒｍａｔｉｏｎ）を有するが、該保持要素のこの特定の形状はここで開示される原理と調和しながら変えられてもよいことは理解されるであろう。
【００２５】
該モールドツーリング組立体１０はクレビス（ｃｌｅｖｉｓ）２４により付随ロータリー圧縮モールダーに担われる。ピンスリーブリテーナー（ｐｉｎ  ｓｌｅｅｖｅ  ｒｅｔａｉｎｅｒ）２６は該ツーリング組立体の外側ピンスリーブ１６に隣接して概ね該クレビス２４の下に位置付けられる。該ツーリング組立体の操作は適当なカムによりもたらされるのが典型的であり、該カムは、予め決められた量の溶融プラスチック材料がその中へ受けられた後該モールドキャビテイを閉じるために該ツーリングの種々の部品を相対的に動かすよう作用する。該ツーリングの駆動は、該モールドキャビテイ内で該プラスチッククロージャーを形成するために該プラスチックの圧縮モールデイングをもたらし、その後該ツーリングは、該モールド済みクロージャーの除去、特に、該中央形成用ピン１４のプランジャー状端部（ｐｌｕｎｇｅｒ−ｌｉｋｅ  ｅｎｄ）からの該モールド済みクロージャーの除去を容易化するよう開く。該プラスチックの圧縮モールデイング用の力は、該クレビス２４，該ピンスリーブ１６，該形成用ピン１４、そして該雌のモールド２０を通して導かれるのが典型的である。
【００２６】
本発明に依れば、本モールデイング装置は該モールド済みプラスチッククロージャーの該中央形成用ピン１４からの除去を促進するために、典型的に該モールド済みプラスチッククロージャー内に圧縮ガス、空気を導くよう構成される。この目的で、該モールドキャビテイ２２内に形成されたプラスチッククロージャー内に加圧空気を導くために空気供給装置（ａｉｒ  ｄｅｌｉｖｅｒｙ  ａｒｒａｎｇｅｍｅｎｔ）が提供される。本発明の実施用の該加圧ガスとして空気の使用が現在好ましいが、空気の他の適当なガスが本発明の実施用に使われ得ることは理解されよう。かくしてクロージャー突き出しを容易化するために加圧されるガスを参照してのここでの用語”空気（ａｉｒ）”の使用は他の適当なガスを含むよう意図されることは理解されるべきである。
【００２７】
図１及び２で図解される様に、該空気供給装置はクレビス２４内に設置されたカップリング２８を有し、該カップリングは該クレビスにより規定される内部通路３０と連通している。該カップリング２８を通して該通路３０内に導かれる加圧空気は付随ロータリーユニオン（ａｓｓｏｃｉａｔｅｄ  ｒｏｔａｒｙ  ｕｎｉｏｎ）から該モールドツーリング組立体へ供給されるが、該ユニオンは該モールデイングサイクルの該モールド済みクロージャーの突き出しがもたらされる部分中に該ツーリング組立体内へ加圧空気を導く弁の様な作用（ｖａｌｖｅ−ｌｉｋｅ  ａｃｔｉｏｎ）を提供する。今はロータリーユニオン（示されてない）の使用が好ましいが、適当な電気機械的弁又は類似のものの様な他の弁動作装置（ｏｔｈｅｒ  ｖａｌｖｉｎｇ  ａｒｒａｎｇｅｍｅｎｔｓ）が該モールデイングサイクルの適当な部分中に加圧空気を該ツーリングへポート（ｐｏｒｔｉｎｇ）するために、代わりに使われてもよいことは当業者により認識されるであろう。
【００２８】
該クレビス２４の通路３０はピンスリーブリテーナー２６により規定される通路３２と流体的に連通しており、該通路３２は今度は、ピンスリーブ１６により規定されるポート、そして形成用ピン１４と外側ピンスリーブ１６の間に規定される軸方向空気通路３４、と連通している。本発明は少なくとも１つの空気通路３４が該形成用ピン１４とピンスリーブ１６の間に提供されることを考慮するが、該形成用ピンと外側ピンスリーブの間で軸方向に延びる複数の空気通路が提供されるのが現在は好ましい。この様な空気通路の現在の好ましい配置が図３に図解されており、該図は該形成用ピン１４と該外側スリーブ１６を、断面で、図解している。該形成用ピン上に作用する力をバランスさせるよう配置された複数の空気通路の好ましい提供はツーリング部品の望ましくないバインデイング（ｂｉｎｄｉｎｇ）と摩耗を避ける。図解された配置では、該ツーリングは前記空気通路３４のみならず、該形成用ピン１４と該ピンスリーブ１６の間に作用する力をバランスさせるよう構成された１対の空気通路３６，３６’を備えている。１対の対角線状に相対する空気通路が使われることは本発明の範囲（ｐｕｒｖｉｅｗ）内にあるが、３つの空気通路３４，３６，３６’の使用が該形成用ピンとピンスリーブの間の安定してバランスする力を提供するよう望ましく作用することを経験が示している。この配置により、該ツーリング部品間の望ましくないバインデイングは避けられて望ましい。認識される様に、３つより多い空気通路が該形成用ピンとピンスリーブの間に提供され得て、ツーリング組立体内に空気圧により創られる力のバランスと言う望ましい効果を有し、それによりバインデイングと望ましくない摩耗を避ける。
【００２９】
評価される様に、該形成用ピンと該ピンスリーブの間に規定される空気通路３４，３６，３６’の提供は、該ツーリング組立体内の追加の内部部品の要求を避けるので望ましい。もっと言えば、該形成用ピンとピンスリーブのインターフエースにチャンネルの様な領域を形成することにより通路が提供され得る。該空気通路は、該ツーリングの構造的完全性（ｓｔｒｕｃｔｕｒａｌ  ｉｎｔｅｇｒｉｔｙ）での何等かの重要な低下無しに、そして該ツーリング組立体内の冷却剤通路（示されてない）の寸法の何等かの減少に頼ること無しに、望ましく形成され得る。
【００３０】
該複数の空気通路間に加圧空気の望ましい分布を提供するために、該ツーリング組立体は、該複数の空気通路を相互に流体的連通関係にあるよう接続するべく、該形成用ピン１４と該ピンスリーブ１６の間に延びる少なくとも１つの円周状チャンネル３８を有する。円周状チャンネル３８は該ツーリング組立体内に導入された加圧空気を該形成用ピンとピンスリーブの間に提供される該複数空気通路へ分配するよう作用し、かくして該形成用ピンとピンスリーブの間で作用する力の望ましいバランスを達成する。
【００３１】
該図解された実施例に依れば、もう１つの円周状チャンネル４０がチャンネル３８と概ね軸方向に隔てられた関係を有して提供されることが現在好ましい。又チャンネル４０は複数の空気通路３４，３６，３６’と流体的連通関係にあり、形成されつつあるプラスチッククロージャー内に空気を導入する前に加圧空気を蓄積するためにアキュムレーター（ａｃｃｕｍｕｌａｔｏｒ）として機能するのが望ましい。
【００３２】
チャンネル４０からの加圧空気は、概ね、該形成用ピンと該外側ピンスリーブ１６の遠位の端部との間で、該形成用ピン１４の周りに円周方向に隔てられた複数のより小さい空気通路４２により該モールドキャビテイ２２内に導かれる。通路４２は該形成用ピン１４により規定される平面部（ｆｌａｔｓ）により形成され得て、現在の実施例は８つのこの様な通路を有する。
【００３３】
本装置の該モールドツーリング組立体１０の特定の形状は、勿論、モールドされるプラスチッククロージャーＣの特定の構造的特徴に依存する。多くの応用では、該クロージャーＣにタンパー表示能力（ｔａｍｐｅｒ−ｉｎｄｉｃａｔｉｎｇ  ｃａｐａｂｉｌｉｔｙ）を備えさせるのが望ましく、この目的で、該プラスチッククロージャーは、該クロージャーのスカート部分の内側表面上に提供される少なくとも１つのタンパー表示要素（ｔａｍｐｅｒ−ｉｎｄｉｃａｔｉｎｇ  ｅｌｅｍｅｎｔ）を備えるのが典型的である。この様なタンパー表示要素は図８のＥで仮想線（ｐｈａｎｔｏｍ  ｌｉｎｅ）で線図式に図解されるが、これらの種類のタンパー表示要素はクロージャー除去時付随コンテナーと動作的に契合するよう構成された１つ以上の突起（ｐｒｏｊｅｃｔｉｏｎｓ）の形で提供されるのが典型的である。典型的には、壊れやすい結合部（ｆｒａｎｇｉｂｌｅ  ｃｏｎｎｅｃｔｉｏｎ）が該クロージャースカートの下部部分と該スカートの残りとの間に提供され、それにより該１つ以上のタンパー表示要素の付随コンテナーとの契合が該スカート部分の破砕（ｆｒａｃｔｕｒｅ）をもたらし、かくして該クロージャーが該付随コンテナーから部分的に又は完全に外されたと言う容易に視覚的に認識出来る証拠（ｒｅａｄｉｌｙ  ｖｉｓｉｂｌｙ  ｄｉｓｃｅｒｎａｂｌｅ  ｅｖｉｄｅｎｃｅ）をもたらす。
【００３４】
１つ以上のこの様なタンパー表示要素Ｅを有するクロージャーＣを形成するために、該モールドツーリング組立体１０は、該中央形成用ピン１４と外側ピンスリーブ１６が相対的に移動可能であるよう、そして該プラスチッククロージャーＣの該スカート部分Ｓの自由エッジに隣接してそれら間に環状形成面４４を規定するよう、に構成される。図５は、雌のモールド２０内からの該モールド済みクロージャーＣの除去後に起こる、それら間のこの様な相対的移動後の形成用ピン１４と外側ピンスリーブ１６を図解する。
【００３５】
注目すべきことに、形成面４４は、該１つ以上のタンパー表示要素Ｅが対するよう形成される表面を提供するのみならず、加えて、空気が空気通路４２から移動する時該形成用ピンとピンスリーブとが該モールド済みクロージャー内への加圧空気の流れを制御するべく一緒に作用するように、該ピンスリーブ１６の遠位の端部で嵌合環状面（ｍａｔｉｎｇ  ａｎｎｕｌａｒ  ｓｕｒｆａｃｅ）と協力する。加圧空気が該形成用ピンと該ピンスリーブの間に導かれた時、スロットルの様な効果（ｔｈｒｏｔｔｌｉｎｇ−ｌｉｋｅ  ｅｆｆｅｃｔ）が達成される。この弁の様な領域（ｖａｌｖｅ−ｌｉｋｅ  ｒｅｇｉｏｎ）が完全には気密でないことが現在は好ましいが、それはこの領域が、該モールド組立体が閉じられ、そしてプラスチックが該形成用ピン１４の周りで上方へ流れる時、空気が該モールドキャビテイ２２を去るよう望ましくベント通路（ｖｅｎｔ  ｐａｔｈ）を提供するからである。モールデイングサイクルのこの部分中の空気の通気（Ｖｅｎｔｉｎｇ  ｏｆ  ａｉｒ）は該モールドされるプラスチック品内の空気泡又は他のボイド（ａｉｒ  ｂｕｂｂｌｅｓ  ｏｒ  ｏｔｈｅｒ  ｖｏｉｄ）の形成を避けるために特に好ましい。
【００３６】
該形成用ピン１４とピンスリーブ１６の相対的軸方向運動は、カム駆動に依る様に、機械的にもたらされてもよいが、典型的構造では、該ツーリングは、雌のモールド２０の雄のモールド組立体１２からの分離により該モールド組立体を開くことに付随して誘起される相対運動用に構成される。
【００３７】
プラスチッククロージャーＣのタンパー表示要素の取り外し（ｒｅｍｏｖａｌ）を実現するための図５に図解された形成用ピン１４とピンスリーブ１６の相対運動の後、該形成用ピンからの該プラスチッククロージャーの取り外しは、該クロージャーのねじ形成部又は他の保持要素の、該ねじ形成部が中で形成された該形成用ピンの形状からの、相対回転又は”ねじ緩め（ｕｎｔｈｒｅａｄｉｎｇ）”無しに、該形成用ピンからの該プラスチッククロージャーの”剥がし（ｓｔｒｉｐｐｉｎｇ）”によりもたらされる。クロージャー突き出し（Ｃｌｏｓｕｒｅ  ｅｊｅｃｔｉｏｎ）は突き出しスリーブ１８に対する該形成用ピン１４とピンスリーブ１６の相対運動によりもたらされる。又この様な相対運動は、垂直に固定された突き出しスリーブ１８に対する該形成用ピンとピンスリーブの上方への運動に依る様な、カム駆動により典型的にもたらされる。
【００３８】
ここ迄では、プラスチッククロージャーの突き出しは、該形成用ピン１４から外へそして離れるよう該クロージャーのねじ形成部を動かすために、突き出しスリーブ１８により、該クロージャーのスカート部分の自由エッジに対し充分な力の創生することによりもたらされた。これは、勿論、特に該タンパー表示ピルフアーバンド（ｔａｍｐｅｒ−ｉｎｄｉｃａｔｉｎｇ  ｐｉｌｆｅｒ  ｂａｎｄ）の領域に於いて、該スカート部分の過剰なふくれ（ｂｕｌｇｉｎｇ）又は変形を避けるよう該クロージャーが充分固化されることを要する。加えて、丁度形成されたクロージャーねじが典型的に曝される比較的大きい力は形成速度を限定するよう作用したが、それは該ねじが、該クロージャーが該形成用ピンから強制的に剥がされる時許容出来ない変形を排除するために充分固化されている必要があるからである。
【００３９】
本発明に依れば、モールデイングサイクルの突き出し時間（ｅｊｅｃｔｉｏｎ  ｐｈａｓｅ）中の該クロージャー内への加圧空気の導入は該クロージャーが曝される応力を非常に顕著に減じ、かくして該クロージャーが該剥がし過程中に示さねばならない固化及び強度のレベルを低くする。これは今度は該圧縮モールデイング装置についての顕著に増加する操作速度に帰着する。
【００４０】
該クロージャーＣの内部を有効に加圧するために、該クロージャーがクロージャースカート部分の自由エッジで該突き出しスリーブ１８に対し、充分な程度にシールされることが考えられた。図６は該突き出しスリーブ１８に対するこのシールされた配置のクロージャーを図解しており、該形成用ピンの環状形成面４４と、ピンスリーブ１６の自由エッジでのその協力する嵌合面と、は該クロージャータンパー表示要素の取り外し（ｒｅｍｏｖａｌ）を促進するよう開かれている。
【００４１】
加圧空気は、アキュムレーター円周状チャンネル（ａｃｃｕｍｕｌａｔｏｒ  ｃｉｒｃｕｍｆｅｒｅｎｔｉａｌ  ｃｈａｎｎｅｌ）４０から，複数の空気通路４２を通り、そして環状形成面４４を越えてプラスチッククロージャー内に導かれる。この配置では、加圧空気は、該クロージャーの該ねじ形成部Ｔ又は他の保持要素と、該突き出しスリーブ１８と契合する該クロージャーの面、典型的にはスカート部分Ｓの自由エッジと、の間の領域で該プラスチッククロージャー内に導かれる。該クロージャーの自由エッジと該突き出しスリーブ１８の間に創られる円周状シールは、該クロージャースカートの内側表面に対し作用する（図６で矢印で示される）よう該加圧空気が該クロージャー内に導かれるのを可能にするために有効であり、それにより形成用ピンと該突き出しスリーブ１８との相対運動により該クロージャーが該形成用ピンから離れるよう促される時該クロージャーを膨らます（ｂｕｌｇｅ）か又は”気球状にする（ｂａｌｌｏｏｎ）”。
【００４２】
該モールド済みクロージャーのこの領域内への加圧空気の導入は特に好ましいが、それはねじ形成部の上（図解された配向を参照する）に位置付けられた該クロージャーの部分を外方へ膨らますように該ねじ形成部と該クロージャーの自由エッジの間の該クロージャーの部分にそれが作用するからである。これは、該ねじ形成部（又は他の保持要素）と該クロージャー頂部壁部分の間で空気がクロージャー内に導かれる、以前の空気突き出し配置とは顕著な差異である。この様な以前の配置では、該ねじ形成部は、該スカート部分の全体の内側表面、特に該形成用ピンからの剥がし中に、該クロージャーねじ上に創られる応力を減らすために外方への膨らみが最も望まれる該スカートの自由エッジに隣接する領域、に対する加圧空気の流れに対してのシールとして望ましくなく作用する可能性がある。
【００４３】
加圧空気は、該クロージャーが該突き出しスリーブ１８に対しシールされる該モールデイングサイクルのこの部分中に、付随ロータリーユニオン（ａｓｓｏｃｉａｔｅｄ  ｒｏｔａｒｙ  ｕｎｉｏｎ）から該雄のモールド組立体を通るよう導かれ、該クロージャーの充分な加圧を可能にするよう充分なドゥエル（ｄｗｅｌｌ）が該モールドツーリングの操作中創られる。典型的応用では、加圧空気は約０．３４５ＭＰａ｛５０ピーエスアイ（ｐｓｉ）｝の圧力で空気供給システムを通して供給される。
【００４４】
図７は更に、該クロージャーが該突き出しスリーブ１８により該形成用ピン１４から剥がされる時の該クロージャーＣの内部加圧を図解する。矢印で示される様に、該クロージャー内の空気圧は該クロージャーの該スカート部分の内側表面のみならず該モールド済みクロージャーの頂部壁Ｗの内側表面に対しても作用する。
【００４５】
該クロージャーが、該クロージャー内に導かれた加圧空気が該形成用ピン１４の周辺底部エッジの周りで動くことを可能にするに充分な量だけ該形成用ピン１４から取り外されると、該クロージャーの該頂部壁の内側表面は瞬間的に加圧されるであろう。該クロージャーの内側表面と該形成用ピンの底部表面との間に通常創られる天然の真空を破ることにより、より平坦でより平面状の頂部壁を有するクロージャーが形成され得る。
【００４６】
空気加圧は該ねじ形成部Ｔの該形成用ピン１４からの契合解除（ｄｉｓｅｎｇａｇｅｍｅｎｔ）を促進するために該クロージャーのスカート部分を外方に膨らますよう作用するので、該クロージャーの１つ以上のタンパー表示要素は該形成用ピン１４の形成面４４から離れるよう外方へ動かされる（ｕｒｇｅｄ）。結果的に、”半径方向（ｒａｄｉａｌ）”突き出し力が創られる。これはクロージャー突き出し中に該タンパー表示要素が曝される応力を減じるよう望ましく作用し、かくしてこの様な要素用の向上した強度に帰着して望ましい。この様な要素についての向上した強度はタンパー表示用の付随するコンテナーとのそれらの望ましい機械的相互作用を容易化することが出来る。
【００４７】
図８は該形成用ピン１４からのクロージャーＣの除去を伴う突き出しサイクルの完了を図解する。該形成用ピン１４と該突き出しスリーブ１８の間の相対運動は完了し、該形成用ピンの該成形面４４は外側ピンスリーブ１６の遠位の端部で嵌合環状面との協力関係に再び移される。該モールデイングサイクルのこの部分では、付随するロータリーユニオンから該モールド組立体内に導かれつつある空気圧は遮断され、かくして次のモールドサイクル用の該モールド組立体を準備する。
【００４８】
かくして、本発明はモールド済みプラスチッククロージャーの高速度製造を非常に促進する。突き出し中の該モールド済みクロージャーの内部加圧は、それが付随する形成用ピンから機械的に剥がされる時該クロージャーが曝される応力を大いに減じ、かくして顕著に増加した操作速度を可能にする一方、同時に該モールド済みクロージャーの永久変形を減じる。タンパー表示の形状（ｆｅａｔｕｒｅｓ）の改良された形成も達成される。本装置は該形成用ピンと付随ピンスリーブの間に加圧空気を導くよう構成されるので、該ツーリング内の典型的な冷却剤通路は望まれる様な寸法にされ、該空気通路は更に、該クロージャーが形成される時該モールドキャビテイの通気（ｖｅｎｔｉｎｇ）を促進する。
【００４９】
該形成用ピンと該モールド済みクロージャーの間の干渉の減少と、突き出し力の最終的減少と、は減少したねじ変形、該クロージャーのタンパー表示バンド部分の減少した膨らみ、そしてねじ位置での減少した外側側壁変形（ｅｘｔｅｒｎａｌ  ｓｉｄｅ  ｗａｌｌ  ｄｅｆｏｒｍａｔｉｏｎ）、に帰着し、望ましい。該モールド済みクロージャー内に導入される高圧空気は、突き出し中発生される真空力の減少のために頂部パネルくぼみ（ｔｏｐ  ｐａｎｅｌ  ｃｏｎｃａｖｉｔｙ）を減じる更に進んだ利点を有し、完成クロージャーに典型的に付随する頂部壁の凹形収縮（ｃｏｎｃａｖｅ  ｓｈｒｉｎｋａｇｅ）を打ち消す変形を提供する。モールデイング冷却時間の減少は、モールド済みクロージャーを形成し、冷却し、そして突き出す全体のサイクル時間の顕著な減少に帰着する。
【００５０】
前記から、本発明の新しい概念の真の精神と範囲から離れることなく、多くの変型と変更がもたらされ得る。ここで図解された特定の実施例に関し何等限定は意図されておらず、又推量されるべきでないことは理解されるべきである。本開示は、付属する請求項により、該請求項の範囲に入る全てのこの様な変型をカバーするよう意図されている。
【図面の簡単な説明】
【００５１】
【図１】本発明の原理を具体化するプラスチッククロージャーをモールドするための装置の線図である。
【図２】図１に図解された装置の相対的に拡大された部分図であり、該装置の形成用ピンは示されてない。
【図３】図１の線３−３に概ね沿って取られた、図１に示す装置の断面線図である。
【図４】図１に図解された装置の相対的に拡大された線図であり、中でプラスチッククロージャーをモールドするための閉じた構成の該装置を図解している。
【図５】開いた条件で本装置を図解する図４と同様な図であり、付随する形成用ピンからのモールド済みプラスチッククロージャーの除去が始動されている。
【図６】更に、該付随する形成用ピンからのモールド済みプラスチッククロージャーの除去を図解する図５と同様な図であり、該クロージャーは付随する突き出しスリーブに対しシールされ、中に加圧空気が導入されている。
【図７】更に、該付随する形成用ピンからの該モールド済みプラスチッククロージャーの除去を図解する図６と同様な図であり、該付随する形成用ピンからのその除去を容易化するために該図解されたプラスチッククロージャーの内部表面に対し作用する空気圧力の力を線図式に図解している。
【図８】付随するツーリングの形成用ピンからの該モールド済みプラスチッククロージャーの除去の完了を線図式に図解する。
【図１】
0004633045.tif 000002
【図２】
0004633045.tif 000003
【図３】
0004633045.tif 000004
【図４】
0004633045.tif 000005
【図５】
0004633045.tif 000006
【図６】
0004633045.tif 000007
【図７】
0004633045.tif 000008
【図８】
0004633045.tif 000009